(57)【要約】      （修正有）【課題】生産者にとって加工が容易で安価に多種生産しやすく購買者にとっては安全かつ簡易に使用でき維持管理しやすく意匠性が高く安価でありかつ様々な用途に使用できる容易で効果の確実な多目的手段としてのスリーピン型多目的留具を提供する。【解決手段】弾性を有する強靱かつ柔軟な種々の平板素材を用いて二つのクリック片部２および略中央部に位置する対向片部３の外形形状が正面図で見ると一つの動物、植物、抽象物、人工物等を表す象形形状をなし、また該留具表面上には前記各象形形状の特徴を加勢強調する模様、色彩等が付加されてなる構成とする。【選択図】図２
0003227475.tif 000002
【実用新案登録請求の範囲】
【請求項１】
弾性を有する強靱かつ柔軟な適宜な大きさの均一な厚さを有する平板素材であって弾性変形して二つの静止状態に移行可能な２つのクリック片の先端の開孔部を貫通する１個のリベットを介して相互に連結されてなり、該クリック片の他の一つの端辺の略中央部から一体的に形成されて、該クリック片の他片に対面するように伸び且つ該クリック片の動作によって該クリック片に対して当接または離間する弾性変形可能な対向片とからなるスリーピン留具本体において、上記クリック片及び対向片の形状が正面図で見ると全体として動物、植物、抽象物、人工物等を表す象形形状に構成されてなすことを特徴とするスリーピン型多目的留具。
【請求項２】
前記クリック片及び前記対向片の表面上には該各片が象形するものの特徴を付加または強調するために色彩、模様や形状が塗装、印刷、シール、プレス成形等の手段により強固に付加されてなることを特徴とする請求項１記載のスリーピン型多目的留具。
【考案の詳細な説明】
【考案の詳細な説明】
【技術分野】
【０００１】弾性変形して二つの静止状態に移動自在なクリック片およびこのクリック片に対向するように伸びる対向片を有するスリーピン型留具に関するものである。
【背景技術】
【０００２】  従来、例えば金属や樹脂の弾性変形を利用した紙束留め毛髪留め等手軽に対象物を纏めるための留具として、通称パッチン留めと呼ばれるスリーピン型留具が広く知られている。一方この留具は構造が簡易なので機能部品を付加したり装飾部分を取付けたりする事例も又広く知られている。例えば髪飾り具として造花等を留め具に固定した構造と製法（特許文献１）及び留具の対向片に更に舌片を構成した紙クリップ（特許文献２）あるいは弾性変形可能な凹部が加圧成形された表面板と裏面板で該表面板が具象物等に成形されているクリップ（特許文献３）等が知られている。
【先行技術文献】
【特許文献】
【０００３】
【特許文献１】特許公開  ２００１−２９９４３４号公報
【特許文献２】公開実用新案  昭５８−２１４７０号公報
【特許文献３】公開実用新案  平３−２６５９０号公報しかしながら例えば髪飾り具等の場合、造花等の装飾部分を製造しやすく且つ外れ難くする技術であって留具部分は従来型の略三角形のスリーピン構造に過ぎずまた該留具は髪飾りに特化しているものであり多用途の留具とは言えないものである（特許文献１）また留具の対向片に更に押え板としての舌片を取付けた考案では、部品数が増加し且つ部品固定の工程が極端に多くなり、単純な紙クリップとして限定しているにも拘わらず高価である割には格段の効果があるとは思えないものであり（特許文献２）さらに二枚の鋼鈑をピンで固定した、クリップは多用途の留具ではあるがスリーピン構造ではなく表層底層の二枚の金属片には各々が弾性反転できるように加圧成形しておかなければならず表層板を種々の形状に打抜く抜金型とプレス金型と成形加工工程が必要と成り費用が嵩みかつ相当数の受注がなければ起工し難い（特許文献３）という問題点があった。
【考案の概要】
【考案が解決しようとする課題】
【０００４】  本考案の目的はこのような難点を解消するものである。すなわち本留具は前記髪飾り具のごとく留具部と装飾部が別々ではなく、留具本体が同時に装飾部を兼ねているものであり装飾部の外れ防止等の特殊構造を必要とせず極めて強固なものである。また素材は安価な金属片、樹脂板、合成紙等であり、塗装、印刷、接着、加圧加工等が自由であり表面加工の自由度が高く付加価値をつけやすいものである。また素材は安価な金属板や樹脂板で可能であり塗装、接着、印刷、模様加工等の自由度も高く安価かつ容易な手法で付加価値を付けやすいものである。さらに弾性加圧加工等プレス加工等が不要であり平板へのレ−ザ−加工等で済み抜金型も不要なので生産数の選択も自由であり安価かつ確実で生産者にとって加工、製造の自由度が高くまた購買者にとっては安全かつ簡易であり維持管理しやすく意匠性が高く安価でありかつ様々な用途に使用できる容易で効果の確実な多目的な手段としてのスリーピン型留具を提供することにある。
【課題を解決するための手段】
【０００５】  請求項１に記載の考案によれば、本留具（１）は弾性を有する強靱且つ柔軟な適宜な大きさの平板であって、弾性変形して二つの静止状態に移行可能な二つのクリック片（２、２‘）を有し、該クリック片の先端は各々の開孔部が１個のリベットを介して相互に連結固定されてなり、該クリック片の他の端辺の略中央部に一体的に形成された対向片（３）が前記クリック片リベット固定部分に対面当接するように形成されてなり、前記クリック片の動作によって該クリック片に当接または離間することにより、いわゆるスリーピン型留具を構成している。本考案は前記クリック片および前記対向片の外形形状が多くのスリーピン留具のような幾何学的略三角形ではなく正面図で見ると動物、植物、抽象物、人工物等を表す象形形状を形成し、例えば犬、猫の顔貌や全体像の象形形状をなしているので、本具を紙束、頭髪、衣服、持ち物等にクリップ留めして結束機能を合わせ持つ簡易安価かつ多様な装飾効果を合わせ持つ多目的留具とすることにより課題を解決している。【０００６】  請求項２に記載の考案によれば、本具は強靱且つ柔軟な適宜な大きさの均一厚の平板体であって、主として金属板、樹脂板が使用される。本留具は前記素材が本来持つ弾性をそのまま利用しているために、特別に素材に弾性加工するためのプレス変形加工等は不要であり、例えば前記素材をレーザー切抜き加工に処すれば打抜き用の金型さえ不要となり加工工程は著しく短縮および安価にする事ができる。また入力データさえあれば多種多様な切り抜きが可能なため製品の多様化も容易である。したがって従来のスリーピン型留具の加工成形製造に比して多品種の製造販売が極めて容易に実現化可能であるのみならず平板素材である故にあらかじめ塗装、印刷、シール貼付、表面処理を加工しやすく、前記外形形状の象形化を強調あるいは補正、付加が容易であり商品としての高付加価値化を実現しやすくすることにより課題を解決している。
【考案の効果】
【０００７】  本スリーピン型留具１は本具の機能として繰り返しの弾性変形に耐える材質が必要であり主として薄板状の金属、樹脂及び自然素材等であり例えばスプリング鋼、軟鉄、軽金属、ポリプロピレン、エラストマー、ＦＲＰ、あるいはバラカナイズドファイバー等の強靱且つ柔軟な弾性変形体である。いずれの素材も適度な剛性を有する平板であるので打抜き型のみならず金型を要しないレ−ザ−加工による切抜き成形も可能であり、生産量や加工費用に応じて様々な対応がしやすく、更に金属板にはプレス加工による立体化や型押し等の手法も利用できるので、製品企画や設計上の自由度が高くなる利便性を有する。従来、スリーピン型留具は簡易な髪留具として製造販売されて来た事例が多く、留具の形状は単純な二等辺長三角形のものが多く、更に別途加工した装飾部を付加する事例が多かった。しかしながら本考案による留具は留具本体形状自体が装飾あるいは表示機能を備えているため、髪飾りのみならず多用途の留具、装飾具あるいは表示具として多機能の多目的留具として形成されるものである。【０００８】  すなわち、本考案に係る留具は、多種類の形状が異なる留具を安価に加工生産しやすいので使用者が自己用に多数買い求めやすく、用途や目的、状況に応じて簡易に使用しやすいものである。例えば髪留めのみならず鞄、傘、携帯電話等の所持品や衣服に装飾あるいは自他を見分ける表示具として簡易に取り付ける事で使用するができる。また安価であるので他者に手交する書類束の留具としても当然使用する事が出来、手交する相手の老若男女等に合わせて選択使用することも容易である。また本留具は本具外形形状自体が動物、植物、人工物等の象形形態をしていて、言葉を使わない視覚言語機能を有しており各々がピクトグラムとして働くので幼児教育環境での教育部材として有効利用できるものである。さらに本具表面には印刷、塗装、シール貼付等の手段により当該留具が象形する対象物の特徴を加勢強化する加飾が施されているので一層、象形物が分かりやすく且つ装飾機能も向上し多目的留具として使用するうえで極めて有効である。
【実施例】
【０００９】  以下、添付図面に従って本考案の第１実施形態例を説明する。［第１図］によって説明すると本図は脊椎動物の「虎」の顔面の象形形状をしたスリーピン型留具の正面図による説明図である。このとき本留具１は左右のクリック片部２、２‘が各々の下端に開設した開孔部を貫通させたリベット部４を介して弾性変形的に結合しており、該左右クリック片部の略中間部分に配設さている対向片部３はクリック片部下端に当接する位置にまで伸びている。また本留具１の表面部分には本具が象形する「虎」の特徴模様が印刷、塗装、シール貼付等の手法により付加される事により加飾強調されている。【００１０】［第２図］によって説明すると、本図は［第１図］第１実施形態例の使用状態を示す正面図による説明図である。クリック片を弾性変形させて対向片から離間させたのち、離間した空間に取付材を挟み再度クリック片を対向片に当接する方向に弾性変形させると本留具を取付材に保持できるものである。【００１１】［第３図］によって説明すると、本図は本スリーピン型留具の拡大した左側面図であり、クリック片の弾性変形の二つの静止状態のうち、クリック片部が対向片部に当接して静止した状態を示す説明図である。【００１２】［第４図］によって説明すると、本図は本スリーピン型留具の拡大した左側面図であり、クリック片の弾性変形の二つの静止状態のうち、クリック片部が対向片部から離間して静止した状態を示す説明図である。【００１３】［第５図］によって説明すると、本図は本考案の第２実施形態例であり脊椎動物の「象」の顔面の象形形状をしたスリーピン型留具の正面図による説明図である。【００１４】［第６図］によって説明すると、本図は本考案の第３実施形態例であり脊椎動物の「キリン」の顔面の象形形状をしたスリーピン型留具の正面図による説明図である。【００１５】［第７図］によって説明すると、本図は本考案の第４実施形態例であり植物の「桜花」花弁の象形形状をしたスリーピン型留具の正面図による説明図である。【００１６】［第８図］によって説明すると、本図は本考案の第５実施形態例であり直物の「林檎」の果実中央縦断面の象形形状をしたスリーピン型留具の正面図による説明図である。【００１７】［第９図］によって説明すると、本図は本考案の第６実施形態例であり昆虫の「鍬形」の体型全体の象形形状をしたスリーピン型留具の正面図による説明図である。【００１８】［第１０図］によって説明すると、本図は本考案の第７実施形態例であり昆虫の「蝶」の体型全体の象形形状をしたスリーピン型留具の正面図による説明図である。【００１９】［第１１図］によって説明すると、本図は本考案の第８実施形態例であり音楽記号の「ト音記号」全体形状の象形形状をしたスリーピン型留具の正面図による説明図である。【００２０】［第１２図］によって説明すると、本図は本考案の第９実施形態例であり人工物の「雪ダルマ」の全体形状の象形形状をしたスリーピン型留具の正面図による説明図である。
【図面の簡単な説明】
【００２１】
【図１】本考案に係る第１実施形態例における脊椎動物を表す象形形状に構成された正面図による説明図である。
【図２】本考案第１実施形態例が、紙、布等、被取付材料に取付けられクリック片部および対向片部に挟まれて固定された状態を示す本具使用状況の説明図である。
【図３】本考案に係るスリーピン型留具が弾性変形して二つの静止状態に移行する状態のうちクリック片部と対向片部が当接した状態を示す、左側面拡大図による説明図である。
【図４】本考案に係るスリーピン型留具が弾性変形して二つの静止状態に移行する状態のうちクリック片部と対向片部が離間した状態を示す、左側面拡大図による説明図である。
【図５】本考案に係る第２実施形態例における脊椎動物を表す象形形状に構成された正面図による説明図である。
【図６】本考案に係る第３実施形態例における脊椎動物を表す象形形状に構成された正面図による説明図である。
【図７】本考案に係る第４実施形態例における植物を表す象形形状に構成された正面図による説明図である。
【図８】本考案に係る第５実施形態例における植物を表す象形形状に構成された正面図による説明図である。
【図９】本考案に係る第６実施形態例における昆虫を表す象形形状に構成された正面図による説明図である。
【図１０】本考案に係る第７実施形態例における昆虫を表す象形形状に構成された正面図による説明図である。
【図１１】本考案に係る第８実施形態例における音楽記号を表す象形形状に構成された正面図による説明図である。
【図１２】本考案に係る第９実施形態例における人工物を表す象形形状に構成された正面図による説明図である。
【符号の説明】
【００２２】      １  留具本体
２  クリック片部
２’クリック片部
３  対向片部
４  リベット部
５  加飾部
６  被取付材
【図１】
0003227475.tif 000003
【図２】
0003227475.tif 000004
【図３】
0003227475.tif 000005
【図４】
0003227475.tif 000006
【図５】
0003227475.tif 000007
【図６】
0003227475.tif 000008
【図７】
0003227475.tif 000009
【図８】
0003227475.tif 000010
【図９】
0003227475.tif 000011
【図１０】
0003227475.tif 000012
【図１１】
0003227475.tif 000013
【図１２】
0003227475.tif 000014